(57)【要約】      （修正有）【課題】必要に応じて、日除け部分を任意に折り畳み又は展開可能とした、実用性の高い日除け付き帽子を提供する。【解決手段】クラウン１の縁周りにつば２を備えた帽子の後方側に、クラウンとつばの縫い目の間に挟んで、つばを覆ってその外側に垂れ下がる広さを有する日除け３をひだが生じないように縫着すると共に、結束具４を設けてこの日除けを上下方向に束ねてクラウンの後側に収容可能とした。結束具は、日除けを挟んでクラウンとつばの縫い目の間に縫着する一対の帯片からなり、各帯片の先端には互いに係着する一対の固定部材を設けた。【選択図】図１
0003187382.tif 000002
【実用新案登録請求の範囲】
【請求項１】
クラウンの縁周りにつばを備えた帽子の後方側に、当該クラウンとつばの縫い目の間に挟んで、前記つばを覆ってその外側に垂れ下がる広さを有する日除けをひだが生じないように縫着すると共に、この日除けを上下方向に束ねてクラウンの後側に収容可能とした結束具を設けたことを特徴とする日除け付き帽子。
【請求項２】
結束具は、上記日除けを挟んで上記クラウンとつばの縫い目の間に縫着する一対の帯片からなり、各帯片の先端に互いに係着する一対の固定部材を設けた請求項１記載の日除け付き帽子。
【請求項３】
固定部材は、雌雄一対の面ファスナーである請求項２記載の日除け付き帽子。
【考案の詳細な説明】
【技術分野】
【０００１】
この考案は、折り畳み可能な日除けを設けた帽子に関するものである。
【背景技術】
【０００２】
直射日光、特に紫外線を浴びると、日焼けなど皮膚に悪い影響を残すおそれがあるため、日除け対策は重要な課題である。そこで、野外での農作業やスポーツ観戦、旅行などのように、強い日差しを受けて活動する場合、日除け用に、ブリム（つば）のある帽子が広く利用されている。
【０００３】
従来の帽子は、前側のブリムが大きく設けられている場合が多く、頭部や顔面は紫外線等から保護されるが、後側の首筋（うなじ）部分は露出したままで、直接日光に晒されることがある。
【０００４】
そのため、特許文献１をはじめとして、従来から紫外線等から首筋を保護できるようにした日除けハットが色々と考案されている。例えば、特許文献１に開示された日除けハットは、薄い生地のブリムを、クラウンの一部に、複数のヒダが形成されるようにギャザーを付けて縫い付けたもので、このブリムにより紫外線等から首筋を保護するものである。
【先行技術文献】
【特許文献】
【０００５】
【特許文献１】実用新案登録第３１２１４３２号公報
【考案の概要】
【考案が解決しようとする課題】
【０００６】
しかしながら、上述した従来の帽子は、ギャザーにより意匠性は高まっているものの、常にブリムが垂れ下がった状態であるため、例えば日差しが穏やかになる冬期や雨の日など、日除けが必要でない場合に、却って煩わしさが残るという不都合があった。また、ギャザーを設けた分だけ、却って生地の量が多くなると共に、その分、帽子全体の重量が増大し、本来軽量化が望まれる帽子において、不都合となるものである。
【０００７】
本考案は、かかる実情に鑑みて考案をしたものであって、必要に応じて、日除け部分を任意に折り畳み又は展開可能とした、実用性の高い新たな日除け付き帽子を提案するものである。
【課題を解決するための手段】
【０００８】
上述した課題を解決するため、本考案は、クラウンの縁周りにつばを備えた帽子の後方側に、当該クラウンとつばの縫い目の間に挟んで、前記つばを覆ってその外側に垂れ下がる広さを有する日除けをひだが生じないように縫着すると共に、この日除けを上下方向に束ねてクラウンの後側に収容可能とした結束具を設けて日除け付き帽子を構成するという手段を採用した。
【０００９】
かかる構成の帽子によれば、日除けが必要なときには日除けを帽子の後側に展開して首筋を保護することが可能であり、日除けを必要としない場合には、結束具を介して収容可能となる。
【００１０】
そして、結束具は、上記日除けを挟んで上記クラウンとつばの縫い目の間に縫着する一対の帯片からなり、各帯片の先端に互いに係着する一対の固定部材を設けるという手段を採用した。
【００１１】
固定部材を介して一対の帯片を互いに係着させ、上下方向に束ねた日除けを確実に抱持する。
【００１２】
そして、固定部材は、雌雄一対の面ファスナーで構成するという手段を採用した。
【００１３】
面ファスナーによれば、簡単かつ確実に帯片を係着できる。
【考案の効果】
【００１４】
上記構成の本考案に係る日除け付き帽子によれば、日除けを、結束具を介してクラウンの後側に収容可能としたので、必要なときにのみ日除けを展開して使用でき、二種類の使い分けが可能であり、同時に、日除けが必要でない場合の煩わしさを解消することができる。
【００１５】
また、日除けを、クラウンとつばの縫い目の間に挟んで、つばを覆ってその外側に垂れ下がるように縫着しているので、日除けはつばの大きさだけ首筋から離れ、直接首筋に触れる煩わしさを排除した。また、首筋と垂れ下がった日除けとの間に適宜な空間が形成されるので、該部に空気が流通し、適度な涼感を得ることができるという実用性の高いものである。なお、日除けの大きさは、必要最小限とすることで、重量の増大を抑制できる。
【００１６】
また、日除けを上下方向に束ねて結束具でクラウンの後方にした状態では、外観上、中央が細くまとまり、外側に拡がるリボン結び状になるので、装飾的効果を得ることもできる。
【図面の簡単な説明】
【００１７】
【図１】（Ａ）は、帽子の日除けを展開したときの斜視図、（Ｂ）は日除けを折り畳んだときの斜視図である。
【図２】日除けの止め具部分を一部省略して示す部分拡大斜視図である。
【考案を実施するための形態】
【００１８】
以下、本考案に係る日除け付き帽子の好ましい実施形態を、添付した図面に従って説明する。図１（Ａ）、（Ｂ）において、１は頭を保護する帽子のクラウン、２はクラウンの縁周りに設けて日差しを遮るつばである。かかる帽子は、従来から一般的に採用されているように、クラウン１は、比較的柔らかい素材で形成し、頭の形状に適合するように構成し、一方、つば２は、比較的厚い生地や重ねた生地を使用し、多数のステッチで補強して、型くずれせずに所定の形状を維持し、耐久性に優れたものに構成する。即ち、本考案では、このようなクラウンとつばとを備えた一般的な帽子を対象としており、その形状を特に限定するものではない。
【００１９】
かかる帽子において、３は、帽子の後方に広く展開する日除けである。この日除けは、上記帽子のクラウン１とつば２の縫い目の間に、つば２を覆ってつば２の外側に垂れ下がるようにして、ひだが生じないように縫着されたもので、比較的軽くて薄い生地が好ましい。また、この日除け３は、少なくともクラウン１の後側の半分程度に亘って縫着し、その長さは、つば２の外側に垂れ下がって、肩から背中に亘って覆う長さとすることが好ましい。これにより、日差しを完全に遮断することができ、首筋を日差しから保護することができる。なお、日除け３の素材としては、有害な紫外線を透過しない、又は反射する特性を有するような素材を採用することが好ましい。
【００２０】
次に、図１（Ｂ）において、４は、一対の帯片４ａ、４ｂからなる結束具で、上記日除け３を上下方向に束ねるためのものである。即ち、日除け３が不要な場合には、日除け３を適宜上下方向に折り畳み、この結束具４を利用して、クラウン１の後部に束ねて収容できるようにした。これにより、曇りの日など、日除け３を使用しない状況でも、日除けが邪魔にならず、かつ、図示したように、外観上、リボンのようにまとまるので、装飾性も兼ね備えることができる。
【００２１】
結束具４の例としては、例えば図２に示すように、クラウン１とつば２の縫い目の間に、日除け３を挟んで一対の帯片４ａ、４ｂを縫着して構成する。帯片４ａ、４ｂの先端部分には、例えば雌雄一対の面ファスナー５ａ、５ｂが固定部材５として設けられ、折り畳んで束ねた日除け３を両帯片４ａ、４ｂで抱持するようにし、面ファスナー５ａ、５ｂで固定する。
【００２２】
なお、結束具４としては、日除け３を上下方向に束ねる機能を有するものであれば、帯状の他、例えば紐状のものでもよく、その素材も限定するものではない。また、固定部材５も、面ファスナーの他、ボタン、スナップ、フック等、種々の係止部材を利用でき、結束具４が紐状の場合は、固定部材５を必要とせず、互いに結び合わせればよい。また、例えば、結束具４を、長尺のリボン状のものとすれば、それ自体を蝶々結び等にすることで、装飾的効果を高めることができる。
【００２３】
上記構成の日除け付き帽子によれば、日差しの強いときには、結束具４を解いて日除け３を広く帽子の後側に展開して、直射日光を避けることができる。この場合、日除け３は、つば２の外側に垂れ下がって、首筋及び肩から背中に亘って覆うので、帽子のつば２の大きさだけ首筋から離れ、直接首筋に触れる煩わしさがない。また、首筋と垂れ下がった日除けとの間に空間が形成されるので、該部に空気が流通し、適度な涼感を得ることができる。なお、日除けを必要最小限の大きさとすれば、重量の増大を抑制することができる。
【００２４】
一方、日差しが弱く日除けを必要としない場合には、日除け３を結束具４を用いて上下方向に束ね、クラウン１の後側に収容する。このとき、外観上、リボンを結んだようにまとまるので、装飾的効果も期待できる。
【符号の説明】
【００２５】
１    クラウン
２    つば
３    日除け
４    結束具
４ａ，４ｂ  帯片
５    固定部材
５ａ、５ｂ  面ファスナー
【図１】
0003187382.tif 000003
【図２】
0003187382.tif 000004